(57)【要約】      （修正有）【課題】窓などの採光部から廊下などの屋内空間域に入ってくる自然光をその奥部分まで伝播させ、当該屋内空間域全体での効率的な自然光照明の実現化を図る。【解決手段】廊下１の端側の採光部３から入射した自然光の伝播進路を壁面１ｆの天井面１ａ近くの上側部分に変えるためのホーン型の光ダクト５ａを設け、壁面１ｆの上側部分には光ダクト５ａから出射する自然光が反射しながら屋内奥方向に伝播していくための鏡面１ｊを設けた。また、廊下１の天井面１ａに光拡散部（白色部）を設け、光ダクト５ａから天井面１ａに到達した自然光の拡散作用による照明機能も利用している。【選択図】図２
2011238358.tif 000002
【特許請求の範囲】
【請求項１】
採光部からその屋内奥方向に延びる対向状態の壁面および当該壁面に対応の天井面を備えた屋内空間域の自然光照明構造において、
前記採光部に入射した自然光の伝播進路を前記壁面の方向に変えるための光方向調整手段を設け、
前記壁面のそれぞれは、その少なくとも前記天井面側の上部分に、
前記光方向調整手段から出射する自然光が反射しながら前記屋内奥方向に伝播していくための鏡面を有している、
ことを特徴とする屋内空間域の自然光照明構造。
【請求項２】
前記天井面は、
光拡散部を有し、
前記光方向調整手段は、
前記自然光の伝播進路を前記天井面の方向に変える機能も備えたものである、
ことを特徴とする請求項１記載の屋内空間域の自然光照明構造。
【請求項３】
前記壁面は、
前記採光部から遠い奥部分の方が採光側部分よりも反射率の高い色に設定された非鏡面部分を有している、
ことを特徴とする請求項１または２記載の屋内空間域の自然光照明構造。
【請求項４】
前記光方向調整手段は、
鏡面からなり、前記自然光の入射元の屋外側から反射先の屋内側に向かって先開き状態に設定された導光性部材を有している、
ことを特徴とする請求項１乃至３のいずれかに記載の屋内空間域の自然光照明構造。
【請求項５】
採光部からその屋内奥方向に延びる対向状態の壁面および当該壁面に対応の天井面を備えた屋内空間域の自然光照明方法において、
前記採光部に入射した自然光の伝播進路を前記壁面の方向に変えるための光方向調整手段を設け、かつ、前記壁面それぞれの少なくとも前記天井面側の上部分に、当該記光方向調整手段から出射する自然光が反射しながら前記屋内奥方向に伝播していくための鏡面を形成することにより、
前記光方向調整手段の作用で、前記自然光の入射後伝播進路を少なくとも前記壁面の上部分の方向に変え、
前記鏡面の作用で、前記光方向調整手段を通過した後の前記自然光を反射させながら前記屋内奥方向に伝播させていく、
ことを特徴とする屋内空間域の自然光照明方法。
【発明の詳細な説明】
【技術分野】
【０００１】
本発明は、窓や光ダクトなどの採光部からその屋内奥方向に延びる対向状態の壁面および当該壁面に対応の天井面を備えた屋内空間域（例えば細長態様の廊下空間域，エスカレータ空間域など）の自然光照明構造や、自然光照明方法に関する。
【０００２】
特に、廊下空間域などの少なくとも対向壁面それぞれの天井面側上部分に鏡面を形成し、さらには天井面を白色などの光拡散面とすることにより、天井付近などの廊下空間域全体を、採光部から屋内奥方向に延びる形のいわば簡易光ダクト構造にしたものである。
【０００３】
窓などの採光部から入ってくる自然光は、この廊下空間域などの簡易光ダクト化により廊下空間域などの奥部分まで伝播されて、当該奥部分への照明源の作用を呈する。
【０００４】
なお本明細書では必要に応じて、採光部から屋内奥方向に延びる廊下やエスカレータなどの屋内空間域の幅方向を「左右」，「横」と記し、また、当該屋内空間域の上下方向を「縦」と記す。
【背景技術】
【０００５】
従来、窓（採光部）から入る自然光を屋内の天井面に向けて積極的に反射させ、当該自然光の天井面での散乱作用により屋内奥側部分までの明るさを確保した採光装置が提案されている（下記特許文献１参照）。
【０００６】
ここでの採光装置は、窓（採光部）に、その左右幅方向に延びる複数枚のスラットを所定の間隔で上下方向に設け、かつ、当該スラットそれぞれの上面である反射面の傾斜角度を異ならせたものである。
【０００７】
すなわち、上方のスラットほど屋内天井面の奥部分（窓から遠い方）に自らでの反射光を照射し、下方のスラットほど屋内天井面の手前部分（窓に近い方）に自らでの反射光を照射している。
【先行技術文献】
【特許文献】
【０００８】
【特許文献１】特開２００４−３６３０４２号公報
【発明の概要】
【発明が解決しようとする課題】
【０００９】
このような従来の、窓から入る自然光の照明作用を屋内奥部分まで担保しようとする採光装置の場合、窓部に設けた複数のスラットで自然光を天井面に向けて反射させ、当該天井面にあたった反射光が散乱して屋内を明るくするものである。
【００１０】
ここでは、廊下空間域などのいわば構成要素である天井面や壁面などの中、もっぱら天井面での自然光散乱作用を利用しているにすぎない。
すなわち対向状態の壁面を利用して採光部の自然光を屋内空間域の奥部分まで伝播しようとする、着想までは取り得ていない。
【００１１】
そこで本発明では、廊下やエスカレータなどの屋内空間域を構成する対向状態の壁面の少なくとも天井面側上部分を鏡面とし、かつ、採光部に入射した自然光をこの鏡面に向けて反射させるための光方向調整手段を設け、これにより採光部からの入射自然光が対向壁面の鏡面で反射しながら屋内空間域上部分の奥方向へと伝播して、屋内空間域の自然光照明の効率化を図ることを目的とする。
【００１２】
また、屋内空間域の天井面に白色部分などからなる光拡散部を形成し、これにより（壁部鏡面ではなく）天井面にあたって奥方向には伝播されにくい自然光を屋内へと拡散させて当該屋内空間域の略上側全体をいわば照明源とし、利用者側の違和感が少ない上方からの自然光照明の実現化を図ることを目的とする。
【００１３】
また、対向壁面の非鏡面部分を、その採光部から遠い奥部分の方が採光側部分よりも反射率の高い色（薄い色）の面部分に設定し、これにより自然光が伝送される程度が低くなりがちな奥部分での（自然光の）発光作用を十分確保して、屋内空間域全体における自然光照明のできるだけの均一化を図ることを目的とする。
【課題を解決するための手段】
【００１４】
本発明は、以上の課題を次のようにして解決する。
（１）採光部（例えば後述の採光部３，導光ダクト６）からその屋内奥方向に延びる対向状態の壁面（例えば後述の壁面１ｆ，１ｇ，１ｈ）および当該壁面に対応の天井面（例えば後述の天井面１ａ，１ｂ，１ｃ）を備えた屋内空間域（例えば後述の廊下１）の自然光照明構造において、
前記採光部に入射した自然光の伝播進路を前記壁面の方向に変えるための光方向調整手段（例えば後述の光方向調整手段５，７）を設け、
前記壁面のそれぞれは、その少なくとも前記天井面側の上部分に、
前記光方向調整手段から出射する自然光が反射しながら前記屋内奥方向に伝播していくための鏡面（例えば後述の鏡面１ｊ，１ｋ，１ｍ，１ｎ）を有する。
（２）上記（１）において、
前記天井面は、
光拡散部を有し、
前記光方向調整手段は、
前記自然光の伝播進路を前記天井面の方向に変える機能も備える。
（３）上記（１），（２）において、
前記壁面は、
前記採光部から遠い奥部分の方が採光側部分よりも反射率の高い色に設定された非鏡面部分を有する。
（４）上記（１），（２），（３）において、
前記光方向調整手段は、
鏡面からなり、前記自然光の入射元の屋外側から反射先の屋内側に向かって先開き状態に設定された導光性部材（例えば後述の光ダクト５ａ，横ブレードユニット７ａ，縦ブレードユニット７ｄ）を有する。
（５）採光部（例えば後述の採光部３，導光ダクト６）からその屋内奥方向に延びる対向状態の壁面（例えば後述の壁面１ｆ，１ｇ，１ｈ）および当該壁面に対応の天井面（例えば後述の鏡面１ｊ，１ｋ，１ｍ，１ｎ）を備えた屋内空間域（例えば後述の廊下１）の自然光照明方法において、
前記採光部に入射した自然光の伝播進路を前記壁面の方向に変えるための光方向調整手段（例えば後述の光方向調整手段５，７）を設け、かつ、前記壁面それぞれの少なくとも前記天井面側の上部分に、当該記光方向調整手段から出射する自然光が反射しながら前記屋内奥方向に伝播していくための鏡面（例えば後述の鏡面１ｊ，１ｋ，１ｍ，１ｎ）を形成することにより、
前記光方向調整手段の作用で、前記自然光の入射後伝播進路を少なくとも前記壁面の上部分の方向に変え、
前記鏡面の作用で、前記光方向調整手段を通過した後の前記自然光を反射させながら前記屋内奥方向に伝播させる。
【００１５】
本発明は、以上の構成からなる屋内空間域の自然光照明構造および自然光照明方法を対象としている。
【発明の効果】
【００１６】
本発明は以上の課題解決手段により、
(11)採光部からの入射自然光を対向壁面上側の鏡面で反射しながら屋内空間域の奥方向へと伝播するようにして、屋内空間域の自然光照明の効率化を図り、
(12)屋内空間域の略上側全体を照明源として、利用者側の違和感が少ない上方からの自然光照明の実現化を図り、
(13)自然光が伝送される程度が低くなりがちな屋内空間域奥部分での（自然光の）発光作用を十分確保して、屋内空間域全体の自然光照明のできるだけの均一化を図る、
ことができる。
【図面の簡単な説明】
【００１７】
【図１】自然光照明の対象となる廊下などの屋内平面を示す説明図である。
【図２】廊下採光部に設けられた光方向調整手段（その１：ホーン型光ダクト）を示す説明図である。
【図３】図２の光方向調整手段で用いられるホーン型の光ダクトの一例を示す説明図である。
【図４】廊下採光部に設けられた光方向調整手段（その２：ブレード型光格子）を示す説明図である。
【図５】図４の光方向調整手段で用いられるブレードを示す説明図であり、(a)は複数ブレードの配置状態の一例を示し、(b)はブレード変形例を示している。
【図６】外部自然光が導光ダクトを介して光方向調整手段に取り込まれる場合を示す説明図である。
【図７】平天井を有する廊下の壁面上部分（天井面側部分）に鏡面およびその下端側の小口隠しを設けた状態を示す説明図である。
【図８】窪み部分なしの折上げ天井を有する廊下の壁面上部分（天井面側部分）に鏡面を設けた状態を示す説明図である。
【図９】窪み部分ありの折上げ天井を有する廊下の壁面上部分（天井面側部分）に鏡面を設けた状態を示す説明図である。
【発明を実施するための形態】
【００１８】
図１〜図９を用いて本発明を実施するための形態を説明する。
【００１９】
なお、本発明は上述のように屋内のエスカレータ空間域も対象としているが、以下の記載では単なる説明の便宜上、屋内の廊下を前提とする。
【００２０】
図１〜図９で用いるアルファベット付き参照番号の構成要素（例えば天井面１ａ）は原則として当該参照番号の数字部分の構成要素（例えば廊下１）の一部である、ことを示している。
【００２１】
図１，図６〜図９の屋内構造などに関し、
１は自然光照明の対象となる屋内の細長い廊下，
１ａはその一部または全部に光拡散用の白色部または梨地状部が設けられた第１の天井面（平天井），
１ｂはその一部または全部に光拡散用の白色部または梨地状部が設けられた第２の天井面（窪み部分なしの折上げ天井：図８参照），
１ｃはその一部または全部に光拡散用の白色部または梨地状部が設けられた第３の天井面（窪み部分ありの折上げ天井：図９参照），
１ｄは第３の天井面１ｃの左右両端直下に設定された窪み部分，
１ｅは廊下１の床面，
１ｆは第１の天井面１ａの左右縁部分から床面１ｅまでの間に設定された対向状態の第１の壁面，
１ｇは第２の天井面１ｂの左右縁部分から床面１ｅまでの間に設定された対向状態の第２の壁面，
１ｈは第３の天井面１ｃの左右縁部分から床面１ｅまでの間に設定された対向状態の第３の壁面，
１ｊは第１の壁面１ｆの平天井直下部分に設けられた光反射用の第１の鏡面，
１ｋは第２の壁面１ｇの折上げ天井直下部分に設けられた光反射用の第２の鏡面，
１ｍは第３の壁面１ｈの折上げ天井直下部分に設けられた光反射用の第３の鏡面，
１ｎは第３の天井面の左右両端側それぞれの窪み部分１ｄを構成する範囲に設けられた光反射用の第４の鏡面，
２は第１の鏡面１ｊの下端部分に設けられた小口隠し（図７参照），
３は廊下１の長手方向の両端部分に設けられたガラス窓タイプの採光部，
３ａは屋外側と屋内側とに設けられた一対のガラス，
４は屋内の廊下以外の個別空間域（事務室，給湯室，トイレなどの個々の屋内空間域）
をそれぞれ示している。
【００２２】
また、図２，図３および図６の光方向調整手段などに関し、
５は一対のガラス３ａ同士の間に設けられて、採光部３から廊下内部へと入射する自然光の進路方向を変えるためのホーン型光ダクトを有する光方向調整手段（図２参照），
５ａは光方向調整手段の構成要素であって、内側部分が鏡面からなり、内部空間域を搬送光の進行方向に向かって断面積が大きくなる、すなわち屋外から屋内に向かっての先開き形状に設定され、かつ、後述の台座５ｆに取り付けられるホーン型の光ダクト，
５ｂは光ダクト５ａの軸方向との直交面から傾いた形で設定され、この傾き状態によって取込み可能な入射光範囲を画定する光入射面（図３参照），
５ｃは光ダクト５ａの軸方向との直交面から傾いた形で設定され、この傾き状態によって出射光方向を画定する光出射面（図３参照），
５ｄは廊下床面側および廊下天井面側にそれぞれアンカー固定された光ダクト取付け用の左右一対の縦支柱，
５ｅは縦支柱５ｄのそれぞれにネジ止めされた光ダクト取付け用の横支柱，
５ｆは横支柱５ｅのそれぞれにネジ止めされた光ダクト取付け用の台座，
６は外部の自然光を廊下に取り込むための周知の導光ダクト（図６のみで使用），
θ１は光ダクト５ａの軸方向に対する自然光入射角（図３のみで使用），
θ２（＜θ１）は光ダクト５ａの軸方向に対する自然光出射角（図３のみで使用）
をそれぞれ示している。
【００２３】
また、図４および図５の光方向調整手段のブレードユニット自体に関し、
７は一対のガラス３ａ同士の間に設けられて、採光部３から廊下内部へと入射する自然光の進路方向を変えるための格子状ブレード（二個の横ブレードユニット７ａ＋二個の縦ブレードユニット７ｄ）を有する光方向調整手段（図４参照），
７ａは廊下１の幅方向（左右方向）に設定されて、それぞれが廊下の略半幅からなる左右計二個の横ブレードユニット（複数の横ブレード７ｂ＋縦支持部材７ｃ），
７ｂはそれぞれ反射用の鏡面を備えた複数の横ブレード，
７ｃは各横ブレード７ｂの左右両端部分が取り付けられてそれぞれ略コ型で左右一対の縦支持部材，
７ｄは廊下１の高さ方向（上下方向）に設定されて、それぞれが略廊下幅からなる上下計二個の縦ブレードユニット（複数の縦ブレード７ｅ＋横支持部材７ｆ），
７ｅはそれぞれ反射用の鏡面を備えた複数の縦ブレード，
７ｆは各縦ブレード７ｅの上下両端部分が取り付けられてそれぞれ略コ型で上下一対の横支持部材，
７ｇは複数の横ブレード７ｂ，縦ブレード７ｅと同様の光方向調整機能を備え、入射側の第一の鏡面（平面部分）と、出射側の第二の鏡面（平面部分）とからなり、幅方向の断面形状が図５(b)で示すように逆「く」字状に設定された複数の変形ブレード，
７ｈは横ブレード７ｂ，縦ブレード７ｅ，変形ブレード７ｇなどの各ブレード群の自然光入射側である狭開口部，
７ｊは当該ブレード群の自然光出射側である広開口部，
をそれぞれ示している。
【００２４】
また、図４および図５の光方向調整手段のブレードユニット取付け機構に関し、
８は廊下床面および廊下天井面にそれぞれアンカー固定された左右一対の縦支柱，
９は縦支柱８，廊下床面および廊下天井面などに固定された横ブレードユニット取付け用の屋外側枠構造体，
９ａは廊下床面に周知のスペーサを介してアンカー固定され、かつ、縦支柱８にネジ止めされた略コ型の屋外側下横枠，
９ｂは縦支柱８および屋外側下横枠９ａなどにネジ止めされた略「コ」型の一対で左右両端の屋外側縦枠，
９ｃは屋外側下横枠９ａなどにネジ止めされたＨ型の中央縦枠，
９ｄは各屋外側縦枠９ｂ，中央縦枠９ｃおよび天井面などにネジ止めされた略「コ」型の屋外側上横枠，
１０は屋外側枠構造体９，廊下床面および廊下天井面などに固定された縦ブレードユニット取付け用の屋内側枠構造体，
１０ａは廊下床面に周知のスペーサを介してアンカー固定され、かつ、屋外側下横枠９ａにネジ止めされた略コ型の屋内側下横枠，
１０ｂは各屋外側縦枠９ｂおよび屋内側下横枠１０ａなどにネジ止めされた略「コ」型の一対で左右両端の屋内側縦枠，
１０ｃは中央縦枠９ｃおよび各屋内側縦枠１０ｂなどにネジ止めされたＨ型の中央横枠，
１０ｄは屋外側上横枠９ｄ，各屋内側縦枠１０ｂおよび廊下天井面などにネジ止めされた略「コ」型の屋内側上横枠，
をそれぞれ示している。
【００２５】
ここで、壁面天井側の各鏡面１ｊ，１ｋ，１ｍ，１ｎ，光ダクト５ａの鏡面および各ブレード７ｂ，７ｅ，７ｇの鏡面は、
・アルミ製ミラー
・ステンレス製ミラー
・銀，アルミニウムの真空金属蒸着フィルム処理を施した樹脂製ミラー
などの例えば両面ミラーである。
【００２６】
図２の縦支柱５ｄ，横支柱５ｅ，台座５ｆおよび図４の縦支柱８，屋外側枠構造体９，屋内側枠構造体１０はアルミ製，スチール製，強化プラスチック製のものを用いる。
【００２７】
以上の実施形態にかかる自然光照明の第１の特徴は、
(21)廊下１の対向する各壁面１ｆ，１ｇ，１ｈの天井面直下部分などに鏡面１ｊ，１ｋ，１ｍ，１ｎをそれぞれ形成し、
(22)採光部３に入射して、光方向調整手段５，７によりその進路方向が変えられた自然光がこれらの鏡面で反射しながら廊下１の奥方向に伝播される、
ことである。
【００２８】
この廊下奥方向への光伝播により、細長態様の廊下１の採光部３から遠い部分への自然光に基づく照明（発光）作用が担保される。
【００２９】
また、鏡面１ｊ，１ｋ，１ｍ，１ｎの設定場所が天井面１ａ，１ｂ，１ｃの直下部分など、すなわち廊下１の利用者よりも上方の壁面部分（図７〜図９参照）であるため、この光反射用の鏡面が利用者にとっていわば目障りとなる程度も小さい。
【００３０】
第２の特徴は、天井面１ａ，１ｂ，１ｃには光拡散用の白色部が設けられていることである。
【００３１】
すなわち、光方向調整手段５の各光ダクト５ａや、光方向調整手段７の各ブレード７ｂ，７ｅ，７ｇを経てから天井面１ａ，１ｂ，１ｃの白色部へと進んだ自然光もまた、そこで拡散反射し、廊下１の照明源（発光源）としての作用を呈する。
【００３２】
このように光方向調整手段５，７を通過した自然光に対する、鏡面１ｊ，１ｋ，１ｍ，１ｎに基づく奥方向への反射伝播作用と天井面１ａ，１ｂ，１ｃでの拡散反射作用とにより、細長態様の廊下１全体の十分な照明状態を確保している。
【００３３】
光方向調整手段５の個々の光ダクトとしては、図２および図３で示した他、例えば本件出願人が提案済みの各種ホーン型光ダクトを用いる（国際公開２００９／００８１５９号公報参照）。
【００３４】
図３の光ダクト５ａを用いる場合、
(31)同一形状の多くの光ダクトをそれぞれ、その軸方向に対する光出射面５ｃの向き（＝当該光出射面の法線方向）を適宜変えながら台座５ｆの位置に応じて取付ける、
(32)その軸方向に対する光出射面５ｃの傾きが異なる形状の多くの光ダクトをそれぞれ、台座５ｆの位置に応じて選択的に取り付ける、
などして、各光ダクト５ａの光出射面５ｃから廊下内部に出力される自然光の伝播先を鏡面１ｊ，１ｋ，１ｍ，１ｎや天井面１ａ，１ｂ，１ｃなどに設定する。
【００３５】
ここで、各光ダクト５ａの内部は鏡面からなり、それぞれの光入射面５ｂに入射した自然光は、当該鏡面で反射しながら反対側の光出射面５ｃへと伝播して廊下１の内部空間域へと出射される。
【００３６】
また、各光ダクト５ａは、その中を伝播する自然光の進行方向に向かって断面積が大きくなる形、すなわち光入射面側の狭開口部から光出射面側の広開口部に向かって断面積が大きくなる形に、すなわちいわば先開きの形に設定されている。
【００３７】
この先開きの内部構造により、各光ダクトから出力される光の出射角θ２がその入射角θ１よりも小さくなって、出射光の方向をそろえることができる。なお、入射角θ１および出射角θ２はそれぞれ上述の光ダクト軸方向に対する角度である。
【００３８】
この出射角θ２が入射角θ1よりも小さくなるのは、各光ダクト５ａの内部を搬送される光の進行方向に向かって光ダクト断面積が大きくなるように構成されているので、当該光ダクトに入射した自然光が光ダクト内面で反射するごとに、光ダクト軸方向となす角度が小さくなるからである。
【００３９】
光方向調整手段７の個々の採光用ブレードとしては、図４および図５で示した他、例えば本件出願人が提案済みの各種採光用ブレードを用いる（国際公開２００９／０２５０８９号公報参照）。
【００４０】
光方向調整手段７を構成する採光用ブレードの全体は、例えば図４に示すようにそれぞれが反射表面（鏡面）を有して互いに離間並置された複数の横ブレード７ｂおよび複数の縦ブレード７ｅを積層した形の、格子状ブレードからなっている。
【００４１】
ここで、図４の各横ブレード７ｂおよび各縦ブレード７ｅはそれぞれ、隣同士のブレードにより形成されるいわば光通路の出射側開口面積がその入射側開口面積よりも広くなるように配置されている（図５参照）。
【００４２】
すなわち、光ダクト５ａと同じように各ブレードは、光入射側の狭開口部７ｈから光出射側の広開口部７ｊに向かって隣同士ブレード間の幅が大きくなる形に、いわば先開きの形に設定されている。
【００４３】
そして図５に示すように、この先開き構造のブレード群の狭開口部７ｈに入射した自然光は拡散された状態で当該ブレード群の広開口部７ｊから出射する。
【００４４】
このブレード群による自然光の出射範囲（拡散範囲）は、横ブレード７ｂそれぞれの縦支持部材７ｃに対する傾き、また縦ブレード７ｅそれぞれの横支持部材７ｆに対する傾きを選択して固定することにより、ブレード群の広開口部７ｊから出射される自然光の伝播先を鏡面１ｊ，１ｋ，１ｍ，１ｎや天井面１ａ，１ｂ，１ｃなどに設定しえる。
【００４５】
図４の光方向調整手段７の場合、主に、横ブレードユニット７ａが出射光の廊下上下方向の拡散範囲を特定し、また縦ブレードユニット７ｄが出射光の廊下左右方向の拡散範囲を特定している。
【００４６】
なお、横ブレードユニット７ａおよび縦ブレードユニット７ｄは工場などであらかじめ作成されている。
【００４７】
これら縦，横のブレードユニット７ａ，７ｄを採光部３に取り付けるには例えば、
(41)左右一対の縦支柱８を天井面１ａ，１ｂ，１ｃおよび床面１ｅに固定し、
(42)廊下床面１ｅおよび縦支柱８に対して屋外側下横枠９ａ，左右両端の屋外側縦枠９ｂおよび中央縦枠９ｃを固定し、
(43)二個の横ブレードユニット７ａをそれぞれ屋外側縦枠９ｂと中央縦枠９ｃとの間に入れて、当該横ブレードユニットの縦支持部材７ｃを屋外側縦枠９ｂおよび中央縦枠９ｃにネジ止めし、
(44)屋外側上横枠９ｄを、天井面１ａ，１ｂ，１ｃ，屋外側縦枠９ｂおよび中央縦枠９ｃに固定し、
(45)廊下床面１ｅおよび屋外側下横枠９ａに対して屋内側下横枠１０ａおよび左右両端の屋内側縦枠１０ｂを固定し、
(46)縦ブレードユニット７ｄの一個を左右一対の屋内側縦枠１０ｂの間に入れて、当該縦ブレードユニットの下側の横支持部材７ｆ（図示省略）を屋内側下横枠１０ａにネジ止めし、
(47)中央横枠１０ｃを、当該縦ブレードユニットの上側の横支持部材７ｆ（図示省略）や中央縦枠９ｃ，屋内側縦枠１０ｂに固定し、
(48)縦ブレードユニット７ｄの残り一個を左右一対の屋内側縦枠１０ｂの間に入れて、当該縦ブレードユニットの下側の横支持部材７ｆを中央横枠１０ｃにネジ止めし、
(49)屋内側上横枠１０ｄを、天井面１ａ，１ｂ，１ｃ，当該縦ブレードユニットの上側の横支持部材７ｆ，屋外側上横枠９ｄおよび屋内側縦枠１０ｂに固定する、
といった手順になる。
【００４８】
また、廊下１の壁面１ｆ，１ｇ，１ｈや天井面１ａ，１ｂ，１ｃの色を採光部３から遠い奥にいくにしたがって薄くする、例えば濃いグレーから淡いグレーへと変化させてだんだんと白色に変えるグラデーションを掛けて光反射率を高くし、これにより廊下奥部分での暗照明状態の緩和化を図ることができる。
【００４９】
さらには、天井面１ａ，１ｂ，１ｃの採光部３に近い部分を鏡面にして、廊下１の（当該採光部から遠い）奥の部分への自然光伝播能力を高めることができる。
【００５０】
本発明が以上の実施形態に限定されないことは勿論であり例えば、
(51)壁面１ｆ，１ｇ，１ｈの任意の上下方向範囲に鏡面を設ける、
(52)平面形状の横ブレード７ｂおよび縦ブレード７ｅに代えて、幅方向の断面形状が曲面となるブレードを用いる（国際公開２００９／０２５０８９号公報の図６参照）、
(53)光方向調整手段７として横ブレード群または縦ブレード群の一方のみを用いる、
(54)光方向調整手段５，７の各構成部材の取付けの際にネジ止め，リベット止め，接着などの各種固定手段を適宜用いる、
(55)光方向調整手段５，７が手の届かない場所や汚損の懸念が少ない場所に設けられる場合に、一対のガラス３ａのうち屋内側のガラスを省略して屋外側のガラスのみにする、
(56)光方向調整手段５，７の全体を屋外にガラス３ａなしの状態で設置する、
ようにしてもよい。
【符号の説明】
【００５１】
（図１，図６〜図９の屋内構造などに関し）
１：屋内の細長い廊下
１ａ：第１の天井面（平天井）
１ｂ：第２の天井面（窪み部分なしの折上げ天井）
１ｃ：第３の天井面（窪み部分ありの折上げ天井）
１ｄ：窪み部分
１ｅ：床面
１ｆ：第１の壁面
１ｇ：第２の壁面
１ｈ：第３の壁面
１ｊ：光反射用の第１の鏡面
１ｋ：光反射用の第２の鏡面
１ｍ：光反射用の第３の鏡面
１ｎ：光反射用の第４の鏡面
２：小口隠し
３：ガラス窓タイプの採光部
３ａ：一対のガラス
４：屋内の廊下以外の個別空間域
【００５２】
（図２，図３および図６の光方向調整手段などに関し）
５：ホーン型光ダクトを有する光方向調整手段
５ａ：ホーン型の光ダクト
５ｂ：光入射面
５ｃ：光出射面
５ｄ：縦支柱
５ｅ：横支柱
５ｆ：台座
６：導光ダクト
θ１：自然光入射角
θ２：自然光出射角
【００５３】
（図４および図５の光方向調整手段のブレードユニット自体に関し）
７：格子状ブレードを有する光方向調整手段
７ａ：横ブレードユニット（横ブレード７ｂ＋縦支持部材７ｃ），
７ｂ：横ブレード
７ｃ：縦支持部材
７ｄ：縦ブレードユニット（縦ブレード７ｅ＋横支持部材７ｆ）
７ｅ：縦ブレード
７ｆ：横支持部材
７ｇ：変形ブレード
７ｈ：狭開口部
７ｊ：広開口部
【００５４】
（図４および図５の光方向調整手段のブレードユニット取付け機構に関し）
８：縦支柱
９：屋外側枠構造体
９ａ：屋外側下横枠
９ｂ：屋外側縦枠
９ｃ：中央縦枠
９ｄ：屋外側上横枠
１０：屋内側枠構造体
１０ａ：屋内側下横枠
１０ｂ：屋内側縦枠
１０ｃ：中央横枠
１０ｄ：屋内側上横枠
【図１】
2011238358.tif 000003
【図２】
2011238358.tif 000004
【図３】
2011238358.tif 000005
【図４】
2011238358.tif 000006
【図５】
2011238358.tif 000007
【図６】
2011238358.tif 000008
【図７】
2011238358.tif 000009
【図８】
2011238358.tif 000010
【図９】
2011238358.tif 000011